(57)【特許請求の範囲】
【請求項１】
パチンコ球を貯留する皿部と該皿部のパチンコ球を受け入れると共に発射レールの発射位置に一個づつ供給する打球供給装置とを備え、前記皿部の流下端の下面に常には球抜板で閉塞される球抜口を設け、前記打球供給装置にはその一側に常には前記球抜板と連動する球抜部材により閉塞される開口を設け、前記球抜口を開放し該球抜口を介して皿部のパチンコ球の球抜きをするとき、同時に前記開口を開放して打球供給装置内に残るパチンコ球も前記開口を介して球抜きするようにしたパチンコ機の球受皿において、
前記球抜口と連通する球抜通路と、開口と連通する球抜通路とをそれぞれ別個に形成するようにしたことを特徴とするパチンコ機の球受皿。
【請求項２】
前記球抜口と連通する球抜通路の横幅をパチンコ球が二個並ぶ程度の寸法とした請求項１記載のパチンコ機の球受皿。
【発明の詳細な説明】
【０００１】
【発明の属する技術分野】
本発明は、遊技終了時に皿部に貯留されるパチンコ球および打球供給装置内に残るパチンコ球を同時に球抜きできるようにしたパチンコ機の球受皿に関するものである。
【０００２】
【従来の技術】
この種パチンコ機の球受皿として、例えば次ぎの構成からなるものがある。すなわち、パチンコ球を貯留する皿部と該皿部のパチンコ球を受け入れると共に発射レールの発射位置に一個づつ供給する打球供給装置とを備えている。そして、前記球皿の流下端の下面に常には球抜板で閉塞される球抜口が設けられ、前記打球供給装置にはその一側に常には前記球抜板と連動する球抜部材により閉塞される開口が設けられる。また、前記球抜口に連通させて球抜通路が形成され、前記開口にも連通させて球抜通路が形成されるが、該球抜通路は途中前記球抜通路と合流している。なお、前記各球抜通路は通常その横幅がパチンコ球の直径と同寸法程度に設定されている。
【０００３】
そこで、前記球抜口を開放し該球抜口を介して皿部のパチンコ球の球抜きをするとき、同時に前記開口を開放して打球供給装置内に残るパチンコ球も前記開口を介して球抜きされることとなり、いずれのパチンコ球も前記合流点で合流して球抜通路を流下し排出されるようになっている。
【０００４】
【発明が解決しようとする課題】
しかしながら、前記パチンコ機の球受皿にあっては、前記球抜口と連通する球抜通路と、前記開口と連通する球抜通路とが途中合流して一本となるため、球抜き時に、それぞれ球抜通路を流下するパチンコ球が合流点で鉢合わせ、ともすると球噛みを起こし引いては球詰まりといった重大な事故を発生させるという課題がある。
【０００５】
そこで、本発明は上記課題を解決すべくなされたもので、遊技終了時に皿部に貯留されるパチンコ球および打球供給装置内に残るパチンコ球を同時に球抜きしても、球詰まりを起こすことなく確実に排出できるパチンコ機の球受皿を提供することを目的とするものである。
【０００６】
【課題を解決するための手段】
かかる目的を達成するため本発明に係るパチンコ機の球受皿は、パチンコ球を貯留する皿部と該皿部のパチンコ球を受け入れると共に発射レールの発射位置に一個づつ供給する打球供給装置とを備え、前記皿部の流下端の下面に常には球抜板で閉塞される球抜口を設け、前記打球供給装置にはその一側に常には前記球抜板と連動する球抜部材により閉塞される開口を設け、前記球抜口を開放し該球抜口を介して皿部のパチンコ球の球抜きをするとき、同時に前記開口を開放して打球供給装置内に残るパチンコ球も前記開口を介して球抜きするようにしたパチンコ機の球受皿において、前記球抜口と連通する球抜通路と、開口と連通する球抜通路とをそれぞれ別個に形成するようにした。
【０００７】
このように、前記球抜口と連通する球抜通路と、開口と連通する球抜通路とをそれぞれ別個に形成することにより、それぞれ流下するパチンコ球が途中で合流することがなく、これにより球詰まりも起こらず極めて円滑に流れることになる。
【０００８】
また、前記球抜口と連通する球抜通路の横幅をパチンコ球が二個並ぶ程度の寸法とすれば、通常皿部には多くのパチンコ球が残ることがあるが、この場合にも球抜通路を介して一度に多くのパチンコ球を排出できることとなり、短時間で排出でき排出作業が楽になる。
【０００９】
【発明の実施の形態】
以下本発明に係るパチンコ機の球受皿の実施の形態を図面に基づき説明する。図１は本発明が適用されるパチンコ機の正面図、図２はガラス扉枠及び球受皿を解放した状態のパチンコ機の下部部分の斜視図である。図において、１はパチンコ機の前面枠、２は該前面枠１の後側に着脱自在に装着される遊技盤であって、該遊技盤２の右下側に発射レール３が装着されている。４は発射レール３の発射位置５に先端が臨む打球杆、６は発射レール３の前面を覆う球受皿であって、遊技盤２の上方部を覆うガラス扉枠７と共に前面枠１の窓孔８の一側に開閉自在に装着されている。前記球受皿６には球払出装置（図示せず）から払い出されたパチンコ球を貯留し、そのパチンコ球を後述する打球供給装置２１に供給する皿部９が備えられる。また、前記前面枠１の下部前面には皿部９に充満してオーバーフローしたパチンコ球を貯留する余剰球受皿１０及び発射位置５から発射されるパチンコ球の弾発力を調節する操作ハンドル１１が装着されている。
【００１０】
前記球受皿６は、合成樹脂からなり、図３、図４に示すようにパチンコ球が貯留され下面に下方に延出する側板部１２を有する皿部９と、該皿部９の前面上縁部分を囲う飾板部１３と、ほぼ下半部分１４ａが前方に突出し、該下半部分１４ａと上半部分１４ｂとの間に上から側板部１２を介在させて皿部９と一体に組み合わされる皿当板部１４と、該皿当板部１４の裏側に張合わされる支持板部１５とから構成される。該支持板部１５は金属製である。
【００１１】
前記皿部９は底部が一方に緩やかに下り傾斜し、その傾斜下部にパチンコ球が一列に整列される球流下通路１６が形成されており、この球流下通路１６の下流端は皿当板部１４と支持板部１５に連通して開設された流出口１７に接続される。また、下流端の底面に常には後記する球抜板４２により閉塞される球抜口１８が開設され、該球抜口１８はその下方に設けられた球抜通路である第一球抜通路１９に連通するようになっている。２０は前記第一球抜通路１９の下流端と対応位置して支持板部１５に開設される通口である。そして、支持板部１５の裏面には前記流出口１７と対応させて打球供給装置２１が配設される。
【００１２】
前記打球供給装置２１は、図５に示すように中空箱枠体２２と球送部材２３と球抜部材２４とからなる。中空箱枠体２２は、更に前本体部２２ａと後本体部２２ｂとに二分割して形成され、これらはそれぞれビス２５止めすることにより一体化される。なお、これら前本体部２２ａと後本体部２２ｂは一体に成形するようにしても良い。そして、前本体部２２ａの一側上部に前記流出口１７と連通する球入口２６が設けられ、後本体部２２ｂの内部には前記球入口２６と連通する横やや下向きの供給通路２７が設けられ、該供給通路２７の終端下方に球送部材２３が配置され、供給通路２７内の最先位置にあるパチンコ球を１個ずつ前記発射レール３の発射位置５に導くようにしている。
【００１３】
前記球送部材２３は、全体をほぼ円形形状としかつパチンコ球の直径とほぼ等しい厚さの立体形とした球送本体２３ａと内部に重錘２８が設けられると共に球送本体２３ａから一側へ突出する係合腕２３ｂとを一体に備えており、前本体部２２ａ後面から後方へ垂直、すなわち前記発射レール３と直交する向き、に突設された回動支軸２９により回動自在に支持されている。そして、自然状態では球送部材２３が重錘２８により回動支軸２９を中心に下方へ回動して後本体部２２ｂ下部の側枠上面に停止位置（図６実線位置）している。
【００１４】
また、前記球送本体２３ａには、供給通路２７の終端下方に位置する外周面に形成され係合腕２３ｂ側に下傾してパチンコ球を下方から支持する支持面３０と該支持面３０で支持したパチンコ球が嵌入し得る半円状の球受凹部３１とが設けられており、該球受凹部３１の底部３１ａは嵌入したパチンコ球が発射レール３の発射位置５に対応させて後本体部２２ｂに設けた供給口３２側に転がるように傾斜面として形成されている。一方、係合腕２３ｂ上面はパチンコ球が乗り得る広さを有し、しかも前側に緩く下傾している。
【００１５】
前記前本体部２２ａには、球送本体２３ａとの対向面に球送部材２３が下方へ回動したとき球受凹部３１に受け入れられたパチンコ球が接触可能な誘導突起３３と球送本体２３ａに形成された凹溝３４に臨むガイド突起３５が設けられている。
【００１６】
前記中空箱枠体２２内部の係合腕２３ｂ側であって、その上方に供給通路２７と連なる垂直な球抜路３６が形成され、該球抜路３６と対応させて前本体部２２ａに開口３７が設けられている。これにより、球抜路３６は開口３７及び支持板部１５に設けられた連通口３８を介して該連通口３８と連通する球抜通路である第二球抜通路３９と連通される。また、４０は供給通路２７の下側で前本体部２２ａに設けられ球抜部材２４を嵌入させるためのガイド溝であり、該ガイド溝４０の一端側は前記開口３７と連通している。
【００１７】
球抜部材２４は前本体部２２ａの前面に平行に当接して配置される起立板部２４ａと、該起立板部２４ａの後面に突設され供給通路２７と直交する球止板部２４ｂと、該球止板部２４ｂからパチンコ球が通過し得る球落口４１を離して起立板部２４ａの後面に供給通路２７とほぼ平行に張設される球受板部２４ｃとからなり、前記ガイド溝４０に前本体部２２ａの前側から球受板部２４ｃを嵌入してガイド溝４０に沿って左右に摺動する。
【００１８】
そして、常態では図６、図７に示されるように球落口４１が球送部材２３の支持面３０上方に位置し、かつ球止板部２４ｂが球送部材２３に対し球抜路３６側であって前記支持面３０上面で支持されるパチンコ球Ｂ１が球抜路３６側に落下するのを阻止する球抜阻止位置に有る。また、この位置から図７鎖線に示すように球止板部２４ｂが球送部材２３から離れる方向に変位して球落口４１が球抜路３６と連通し前記球抜路３６側へのパチンコ球の落下を許容する球抜位置に移動できるようになっている。しかも、このとき球送本体２３ａの上面は球受板部２４ｃにより覆われる。
【００１９】
更に、前記球抜部材２４には、図８に示すようにその前面に球抜板４２がビス止めにより一体に設けられる。該球抜板４２は皿部９の側板部１２に設けられるガイド枠４３内に摺動自在に保持され、後側に上下に貫通する係合溝４４が設けられると共に、該係合溝４４内に横ピン４５が突設されている。また、該球抜板４２の一側端には前記球抜口１８を開閉する閉塞板部４６が水平に突設されている。
【００２０】
一方、前記側板部１２の後側に略Ｌ字型のレバー部材４７が軸４８により揺動自在に軸支されると共に、操作部材４９が軸５０により上下方向へ押圧自在に軸支されている。そして、前記レバー部材４７の下端部は側板部１２に設けられた長孔５２を介して球抜板４２の係合溝４４内に介入し、その中の横ピン４５が係合孔５１に係合している。また、レバー部材４７上端部の受止部５３上面に操作部材４９が接触して位置ており、該操作部材４９は皿部９の透孔５４から上方に突出している、更に、球流下通路１６の球抜口１８上方に該球抜口１８へ流入するパチンコ球を球噛みが生じないようにならすための球ならし部材５５が配置され、該球ならし部材５５とレバー部材４７とがコイルバネ５６により連結されている。これにより、球抜板４２は常に閉塞板部４６が球抜口１８を塞ぐ位置に付勢されている。
【００２１】
しかして、本発明は前記球抜口１８と連通する第一球抜通路１９と、開口３７と連通する第二球抜通路３９とをそれぞれ別個に形成してなる。すなわち、第一球抜通路１９は、図７乃至図１０に示すように前記側板部１２の裏側に形成され、流下端の排出口１９ａが支持板部１５に開設された通口２０に臨むようになっている。また、第二球抜通路３９は第一球抜通路１９の下側に位置しこれとほぼ平行に配設され、流下端の排出口３９ａが同じく前記通口２０に並んで臨んでいる。なお、これら排出口１９ａ，３９ａは余剰球受皿１０に連通するようになっている。
【００２２】
更に詳しくは、図１０に示すように側板部１２の前面下部に上下に位置して後方へ屈曲する上通路壁部５７と下通路壁部５８が形成され、一方、皿当板部１４の下半部分１４ａを形成する立壁５９の一部上端縁に後方へ屈曲する支持辺６０が突設されている。そして、前記上通路壁部５７と支持辺６０とにより第一球抜通路１９が形成され、また、下通路壁部５８と立壁５９とにより第二球抜通路３９が形成される。
【００２３】
前記第一球抜通路１９と第二球抜通路３９はその横幅がパチンコ球の直径とほぼ同じ寸法に設定されるが、第一球抜通路１９にあっては、図１１に示すようにその横幅をパチンコ球が二個並ぶ程度の寸法に設定するようにしても良い。これは、通常皿部９には多くのパチンコ球が残ることがあるが、この場合、第一球抜通路１９を介して一度に多くのパチンコ球を排出できることとなり、短時間で排出でき排出作業が楽になるからである。
【００２４】
次に、このように構成されるパチンコ機の球受皿の作用を説明する。皿部９に貯留されるパチンコ球は、一列に整列されながら図６に示すように支持板部１５の流出口１７に入り球入口２６を介して中空箱枠体２２内の供給通路２７に流入し、最先のパチンコ球Ｂ１が球落口４１内に入って球送り部材２３の支持面３０上に乗り、同時に球抜路３６側に転動するのを球止板部２４ｂにより阻止された状態で停止しており、後続するパチンコ球も連続して待機している。
【００２５】
一方、この状態で遊技者のハンドル操作により打球杆４が図６鎖線のように発射準備位置に回動されると、引掛杆６１によって連動レバー６２のレバー部６２ａが引寄せられ該連動レバー６２が軸６３を支点として上方へ回動し、その押上部６２ｂが球送部材２３の係合腕２３ｂを上方へ押し上げる。このため、球送部材２３が回動支軸２９を支点として図６鎖線のように上方へ回動し、前記最先のパチンコ球Ｂ１が球受凹部３１に受け入れられる。
【００２６】
そして、この状態で打球杆４が図６実線で示す発射動作位置に回動すると、球送部材２３は係合腕２３ｂの押し上げ動作から開放され重錘２８の自重で下方に回動し、球受凹部３１に受け入れられたパチンコ球Ｂ１が供給口３２から発射レール３の発射位置５に送り出される。同時に後続する供給通路２７内のパチンコ球Ｂ２を球送本体２３ａの支持面３０で受け止めるもので、その後は打球杆４の往復回動ごとに供給通路２７内の最先に有るパチンコ球Ｂが１個ずつ発射レール３の発射位置５に供給されるようになっている。
【００２７】
そこで、遊技終了時に皿部９内に残ったパチンコ球Ｂを余剰球受皿１０に抜き取る場合は、操作部材４９を図８鎖線のように下方へ押圧してレバー部材４７をコイルバネ５６の付勢に抗して回動させる。これによりレバー部材４７と共に球抜板４２が摺動してその閉塞板部４６が球抜口１８を開放し、皿部９内のパチンコ球Ｂが第一球抜通路１９へ落下する。そして、下端の排出口１９ａを介して余剰球受皿１０に排出される。
【００２８】
同時に、球抜部材２４の球止板部２４ｂが、図７鎖線に示すように球送本体２３ａから離れる方向、すなわち球抜路３６側へ移動する。これにより、供給通路２７内のパチンコ球Ｂが球落口４１を介して球抜路３６に流入し、開口３７から連通口３８を介し第二球抜通路３９へ流出される。この際、前記第一球抜通路１９と第二球抜通路３９は途中で合流することなく別個に形成されていることから、それら球抜通路１９，３９内を流下するパチンコ球は互いに邪魔されずに円滑に流れることとなる。
【００２９】
前記球送本体２３ａはその上方を球受板部２４ｃにより覆われるので、前記各パチンコ球Ｂが抜き出される途中で球送本体２３ａに衝突するようなことはなく球送本体２３ａが保護される。
【００３０】
また、係合腕２３ｂの上面は開口３７側に向って下傾するように形成されているのでパチンコ球Ｂがスムーズに流下する。更に、球送部材２３はそれ以上下方へは回動し得ないので、パチンコ球が球送部材２３に上から衝突してもその衝突によって係合腕２３ｂが上方へ跳ね上がるようなこともなく、このためパチンコ球が踊らず円滑に流出される。このようにして、打球供給装置２１内のパチンコ球は残ることなく総て抜き出される。
【００３１】
【発明の効果】
以上述べたように本発明に係るパチンコ機の球受皿は、遊技終了時に皿部に貯留されるパチンコ球および打球供給装置内に残るパチンコ球を同時に球抜きできるパチンコ機の球受皿において、皿部の球抜口と連通する球抜通路と、打球供給装置の開口と連通する球抜通路とをそれぞれ別個に形成するようにしたので、それぞれ流下するパチンコ球が途中で合流することがなく、これにより極めて円滑に流れ、球詰まりを起こすことがなく確実に排出できるという効果を有する。
また、これは、遊技の興趣を損ねるようなことがなく、遊技者へのサービスの一環につながる。
【００３２】
また、球抜口と連通する球抜通路の横幅をパチンコ球が二個並ぶ程度の寸法とすれば、通常皿部には多くのパチンコ球が残ることがあるが、この場合にも球抜通路を介して一度に多くのパチンコ球を排出できることとなり、短時間で排出でき排出作業が楽になるという効果がある。
【図面の簡単な説明】
【図１】本発明が適用されるパチンコ機の正面図。
【図２】ガラス扉枠と球受皿とを開放した状態を示すパチンコ機の下部部分の斜視図。
【図３】球受皿の斜視図。
【図４】同分解斜視図。
【図５】打球供給装置の分解斜視図。
【図６】打球供給装置の作用を示す部分断面図。
【図７】支持板部を外した球受皿裏面の打球供給装置の部分断面図。
【図８】球受皿の部分正面断面図。
【図９】球受皿の球抜通路部分の平面断面図。
【図１０】図９のＸ−Ｘ線断面図。
【図１１】他の実施の形態に係る球抜通路部分の平面断面図。
【符号の説明】
３                発射レール
５                発射位置
６                球受皿
９                皿部
１８              球抜口
１９              球抜通路（第一球抜通路）
２１              打球供給装置
２４              球抜部材
３７              開口
３９              球抜通路（第二球抜通路）
４２              球抜板
Ｂ，Ｂ１，Ｂ２    パチンコ球
【図１】
0004560207.tif 000002
【図２】
0004560207.tif 000003
【図３】
0004560207.tif 000004
【図４】
0004560207.tif 000005
【図５】
0004560207.tif 000006
【図６】
0004560207.tif 000007
【図７】
0004560207.tif 000008
【図８】
0004560207.tif 000009
【図９】
0004560207.tif 000010
【図１０】
0004560207.tif 000011
【図１１】
0004560207.tif 000012